(57)【特許請求の範囲】
【請求項１】
書籍を開いた状態で保持する書籍保持装置であって、
前記書籍保持装置は、
開いた状態の前記書籍の背部を背支持位置で支持する書籍背支持部材、
開いた状態の前記書籍の左右側の表紙のそれぞれの底部を書籍底部支持位置で支持する書籍底部支持部であって、所定の回転軸に対して左右に開いて位置する書籍底部支持部、
前記書籍底部支持位置よりも下側に形成される書籍底部配置空間、
前記書籍の左右のページとページ当接位置で当接し、前記書籍を開いた状態に保持するページ保持部、
を有し、
前記書籍底部支持位置は、
前記回転軸に対して左右に開いて位置し、また、左右に開いて位置した前記書籍底部支持部の内側の側部に位置し、
前記書籍底部配置空間は、
前記書籍の前記背部の下部の一部を包含し、
前記背支持位置は、
前記書籍底部支持位置よりも前記回転軸側に位置し、
左右の前記ページ当接位置は、
対応する左右の前記書籍底部支持位置に対して、前記回転軸側とは異なる側に位置し、
前記書籍底部支持部は、
前記回転軸を中心に回動可能であり、
前記ページ保持部は、
前記書籍底部支持部の前記回転軸側とは異なる側の端部に形成され、
底面の半径が異なる２つの円柱が重なって形成される段付円柱形状を有するページ押さえ部材であって、半径が大きい前記円柱が上段に位置し、半径が小さい前記円柱の底面が前記書籍底部支持部の上面に沿うように配置されているページ押さえ部材を有すること、
を特徴とする書籍保持装置。
【請求項２】
請求項１に係る書籍保持装置において、
前記ページ保持部は、
移動可能であること、
を特徴とする書籍保持装置。
【請求項３】
請求項１または請求項２に係る書籍保持装置において、さらに、
前記背支持位置、左右の前記書籍底部支持位置、及び、左右の前記ページ当接位置を、上下方向の回転の軸である上下方向回転軸を中心に、上下方向に回転させる上下角調整部材、
を有する書籍保持装置。
【請求項４】
請求項３に係る書籍保持装置において、
前記上下角調整部材は、
所定の凹凸部を係合することによって、上下方向に回転後の前記背支持位置、左右の前記書籍底部支持位置、及び、左右の前記ページ当接位置を固定すること、
を特徴とする書籍保持装置。
【請求項５】
請求項１〜請求項４に係るいずれかの書籍保持装置において、さらに、
前記書籍背支持部材は、
前記書籍底部支持部が位置する方向側に回転可能であること、
を特徴とする書籍保持装置。
【発明の詳細な説明】
【技術分野】
【０００１】
本発明は、書籍保持装置に関し、特に、書籍を開いた状態に保持するものに関する。
【背景技術】
【０００２】
従来の書籍保持装置について、図１５に示すブックスタンドを用いて説明する。このブックスタンドは、 書解台の中央の表面に數かれた厚さ１ｍｍの鉄板表面に設置した木製の文鎮にはめ込まれた吸着力０．８ｋｇのマグネット２個の脱着により、開いたページを押さえ、又、容易に戻すことができる（特許文献１）。
【０００３】
従来の書籍保持装置について、図１６に示すブックスタンドを用いて説明する。ブックスタンドは、使用時に、該ターンテーブル１５は任意の回転と定位が可能であるため、読書／筆記板６を適切な方向に向けて回転し、固定することが可能である。さらに、該摩擦ちょうつがい１３による傾動可能な構造により該スライドレール７に支持された読書/筆記板６の水平面に対する傾斜角度を適切な範囲内に調整することができる。また、該スライドレール７と該スライドカバー９の相対的なスライド移動と定位機構により、該読書/筆記板６の高さを一定の範囲内において任意に調整可能とし、 こうして該読書／筆記板の適切な高さ、傾斜角度、回転角度を３Ｄ調整し、様々な体形の使用者のニーズを満たすことができる（特許文献２）。
【先行技術文献】
【特許文献】
【０００４】
【特許文献１】特開２００５−１３７８５６号公報
【特許文献２】登録実用新案第３１２６１８３号
【発明の概要】
【発明が解決しようとする課題】
【０００５】
前述の従来のブックスタンドには、以下に示すような改善すべき点がある。ブックスタンドは、本を置く台が平面に近いため、分厚い本をセットすると自身の閉じようとする力のため開いた状態を保持するのが難しい、という改善すべき点がある。また、ページをめくる際には、ページを押さえている当該部品を動かす必要があるため、煩わしい、という改善すべき点がある。さらに、本を読みやすい角度・高さに調整する際には、固定ねじを、指で何回も操作する必要があるため、上下の角度・高さ調整が煩わしい、等改善すべき点がある。
【０００６】
本発明は、容易に書籍を開いた状態に保持できる書籍保持装置を提供することを目的とする。また、ページを容易にめくることができる書籍保持装置を提供することを目的とする。さらに、容易に開いた状態の書籍の上下角度を調整できる書籍保持装置を提供することを目的とする。
【発明の効果】
【０００７】
本発明における課題を解決するための手段及び発明の効果を以下に示す。
【０００８】
本発明に係る書籍保持装置は、書籍を開いた状態で保持する書籍保持装置であって、前記書籍保持装置は、開いた状態の前記書籍の背部を背支持位置で支持する書籍背支持部材、開いた状態の前記書籍の左右側の表紙のそれぞれの底部を底部支持位置で支持する書籍底部支持部であって、所定の回転軸に対して左右に開いて位置する書籍底部支持部、前記書籍底部支持位置よりも下側に形成される書籍底部配置空間、前記書籍の左右のページとページ当接位置で当接し、前記書籍を開いた状態に保持するページ保持部、を有し、前記書籍底部支持位置は、前記回転軸に対して左右に開いて位置し、前記背支持位置は、前記書籍底部支持位置よりも前記回転軸側に位置し、左右の前記ページ当接位置は、対応する左右の前記書籍底部支持位置に対して、前記回転軸側とは異なる側に位置すること、を特徴とする。
【０００９】
これにより、書籍保持装置は、書籍を開いた状態で、所定の斜めの角度に保持することができる。また、書籍保持装置は、左右の書籍底部支持位置及び左右のページ当接位置において、書籍を挟持するため、確実に書籍Ｂを開いた状態で支持できる。
【００１０】
本発明に係る書籍保持装置では、前記書籍底部支持部は、前記回転軸を中心に、左右に回動可能であること、を特徴とする。
【００１１】
これにより、書籍底部支持部を回転させるだけで、書籍の厚さや書籍の閉じる力に応じて、書籍を開いた状態で保持することができる。
【００１２】
本発明に係る書籍保持装置では、前記ページ保持部は、前記書籍底部支持部の前記回転軸側とは異なる側の端部に形成されること、を特徴とする。
【００１３】
これにより、書籍底部支持部と一体としてページ保持部を移動させることができる。よって、書籍の厚さや書籍の閉じる力に応じて、容易に書籍を開いた状態で保持することができる。
【００１４】
本発明に係る書籍保持装置では、前記ページ保持部は、移動可能であること、を特徴とする。
【００１５】
これにより、ページ保持部を移動させるだけで、書籍の厚さや書籍の閉じる力に応じて、書籍を開いた状態で保持することができる。
【００１６】
本発明に係る書籍保持装置では、さらに、前記背支持位置、左右の前記書籍底部支持位置、及び、左右の前記ページ当接位置を、上下方向の回転の軸である上下方向回転軸を中心に、上下方向に回転させる上下角調整部材、を有する。
【００１７】
これにより、開いた状態の書籍の上下方向の角度を、容易に、調整することができる。
【００１８】
本発明に係る書籍保持装置では、前記上下角調整部材は、所定の凹凸部を係合することによって、上下方向に回転後の前記背支持位置、左右の前記書籍底部支持位置、及び、左右の前記ページ当接位置を固定すること、を特徴とする。
【００１９】
これにより、開いた状態の書籍の上下方向の角度を、煩わしい奏さなく、容易に、調整することができる。
【００２０】
本発明に係る書籍保持装置では、前記書籍背支持部材は、さらに、前記書籍底部支持部が位置する方向側に回転可能であること、を特徴とする。
【００２１】
これにより、書籍保持装置４００をコンパクトに収納できる。
【００２２】
ここで、特許請求の範囲における構成要素と、実施例における構成要素との対応関係を示す。特許請求の範囲における「書籍保持装置」は、実施例における「書籍保持装置１００、２００、３００、４００」に対応する。
【００２３】
特許請求の範囲における「書籍背支持部材」は、実施例における「背支持部材１１５、２１５、３１５、４１５」に対応する。特許請求の範囲における「背支持位置」は、実施例における「背支持位置Ｐ１１５」に対応する。
【００２４】
特許請求の範囲における「書籍底部支持部」は、実施例における「水平腕部１１１ａ、１１３ａ、２１１ａ、２１３ａ、３１１ａ、３１３ａ、４１１ａ、４１３ａ」に対応する。特許請求の範囲における「書籍底部支持位置」は、実施例における「左書籍底部支持位置Ｐ１１１ａ、及び、右書籍底部支持位置Ｐ１１３ａ」に対応する。特許請求の範囲における「書籍底部配置空間」は、実施例における「書籍底部配置空間Ａ１１０」に対応する。特許請求の範囲における「回転軸」は、実施例における「中心回転軸Ｊ１１０、Ｊ２１０、Ｊ３１０ｌ、Ｊ３１０ｒ、Ｊ４１０」に対応する。
【００２５】
特許請求の範囲における「ページ保持部」は、実施例における「ページ保持部１１１ｃ、２１１ｃ、３１１ｃ、４１１ｃ」に対応する。特許請求の範囲における「ページ当接位置」は、実施例における「左ページ当接位置Ｐ１１１ｃ、及び、右ページ当接位置Ｐ１１３ｃ」に対応する。
【００２６】
特許請求の範囲における「上下角調整部材」は、実施例における「上下角調整部材１３０、２３０」に対応する。特許請求の範囲における「上下方向回転軸」は、実施例における「上下方向回転軸Ｊ２３１」に対応する。
【図面の簡単な説明】
【００２７】
【図１】本発明に係る書籍保持装置の一実施例である書籍保持装置１００の斜視図である。
【図２】書籍保持装置１００の保持部材１１０の斜視図である。
【図３】保持部材１１０の分解図である。
【図４】可動調整部材１３１の分解図である。
【図５】保持部材１１０に書籍Ｂを載置した状態を示した図である。
【図６】書籍Ｂを載置した保持部材１１０の側面図である。
【図７】書籍Ｂを載置した保持部材１１０の平面図である。
【図８】本発明に係る書籍保持装置の一実施例である書籍保持装置２００の斜視図である。
【図９】書籍保持装置２００の斜視分解図である。
【図１０】書籍保持装置２００の斜視分解図である。
【図１１】上下角調整部材２３０の断面図である。
【図１２】上下角調整部材２３０の断面図である。
【図１３】本発明に係る書籍保持装置の一実施例である書籍保持装置３００の斜視図である。
【図１４】書籍保持装置３００の斜視分解図である。
【図１５】従来の書籍保持装置を示す図である。
【図１６】従来の書籍保持装置を示す図である。
【図１７】本発明に係る書籍保持装置の一実施例である書籍保持装置４００の斜視図である。
【図１８】書籍保持装置４００の一部の断面分解図である。
【図１９】ページ押さえ配置溝４１１ｃ３に沿ったページ保持部４１１ｃの断面を示す図である。
【図２０】ページ押さえ配置溝４１１ｃ３に垂直なページ保持部４１１ｃの断面を示す図である。
【図２１】背支持部４１５を回転させた状態の書籍保持装置４００を示す図である。
【図２１ａ】背支持部４１５を回転させ、書籍を支持させた状態の書籍保持装置４００を示す図である。
【図２２】保持部材４１３を閉じた状態の書籍保持装置４００を示す図である。
【図２３】保持部材４１１、右保持部材４１３を閉じた状態の書籍保持装置４００の左族面図である。
【図２４】保持部材４１１、右保持部材４１３を閉じた状態の書籍保持装置４００の右側面図である。
【図２５】保持部材４１１、右保持部材４１３を閉じた状態の書籍保持装置４００の正面図である。
【図２６】保持部材４１１、右保持部材４１３を閉じた状態の書籍保持装置４００の背面図である。
【図２７】保持部材４１１、右保持部材４１３を閉じた状態の書籍保持装置４００の平面図である。
【図２８】保持部材４１１、右保持部材４１３を閉じた状態の書籍保持装置４００の底面図である。
【図２９】保持部材４１１、右保持部材４１３を開いた状態の書籍保持装置４００の左族面図である。
【図３０】保持部材４１１、右保持部材４１３を開いた状態の書籍保持装置４００の右側面図である。
【図３１】保持部材４１１、右保持部材４１３を開いた状態の書籍保持装置４００の正面図である。
【図３２】保持部材４１１、右保持部材４１３を開いた状態の書籍保持装置４００の背面図である。
【図３３】保持部材４１１、右保持部材４１３を開いた書籍保持装置４００の平面図である。
【図３４】保持部材４１１、右保持部材４１３を開いた状態の書籍保持装置４００の底面図である。
【発明を実施するための形態】
【００２８】
以下、本発明の実施例について、図面を参照しながら詳細に説明していく。本発明に係る書籍保持装置の一実施例として、書籍を開いた状態で保持する書籍保持装置１００について説明する。
【実施例１】
【００２９】
第１  構成
書籍保持装置１００の全体構成について、図１を用いて説明する。書籍保持装置１００は、保持部材１１０及び上下角調整部材１３０を有している。保持部材１１０は、書籍を見開き状態で保持するためのものである。上下角調整部材１３０は、保持部材１１０に載置した書籍の上下方向の角度を調整するものである。以下において、保持部材１１０、上下角調整部材１３０の構成ついて説明する。
【００３０】
１．保持部材１１０の構成
保持部材１１０の構成について、図２に示す斜視図、及び、図３に示す斜視分解組立図を用いて説明する。図２に示すように、保持部材１１０は、左保持部材１１１、右保持部材１１３、背支持部材１１５、及び、固定部材１１７を有している。
【００３１】
図３に示すように、左保持部材１１１、右保持部材１１３、及び、背支持部材１１５は、固定部材１１７を用いて一体的に組み立てられる。左保持部材１１１は、水平腕部１１１ａ、環状軸部１１１ｂ、及び、ページ保持部１１１ｃを有している。水平腕部１１１ａは、所定長さの角柱形状を有している。水平腕部１１１ａは、一端に、環状軸部１１１ｂを、異なる一端に、ページ保持部１１１ｃを、それぞれ有している。環状軸部１１１ｂは、中央に固定部材挿入用孔１１１ｂ１を有する環状構造を有している。ページ保持部１１１ｃは、水平腕部１１１ａから見て、逆Ｌ字形状を有している。ページ保持部１１１ｃは、逆Ｌ字形状の先端に、滑らかな曲面に形成されたページ押さえ部１１１ｃ１を有している。ページ押さえ部１１１ｃは、開かれた状態で保持部材１１０に載置された書籍の開かれたページに当接し、載置した書籍の開かれた状態を維持する。また、ページ押さえ部１１１ｃ１は滑らかな曲面によって形成されているため、ページめくりに伴う、ページの抜き差しを容易に行うことができる。
【００３２】
ページ押さえ部１１１ｃ１は、水平腕部１１１ａの先端に形成されているため、水平腕部１１１ａの中心回転軸Ｊ１１０を中心とする回動、つまり、左保持部材１１１の中心回転軸Ｊ１１０を中心とする回動に従って、回動する。このように、左保持部材１１１の中心回転軸Ｊ１１０を中心とする回動に従って、ページ押さえ部１１１ｃ１を回動させることができるので、人の手に保持した際の書籍Ｂの開き状態に近い状態で、書籍保持装置１００において書籍Ｂの開き状態を形成することができる。
【００３３】
以上は、右保持部材１１３についても、同様である。
【００３４】
背支持部材１１５は、断面半円の柱形状を有している。背支持部材１１５は、所定の高さの位置から上端に向かって、くさび状の背配置空間Ａ１１５を有している。背配置空間Ａ１１５を形成することによって、書籍を傾斜して支持しやすくしている。背支持部材１１５は、底面から鉛直に内部に向かって所定長さに形成される固定部材受容凹部（図示せず）を有している。固定部材受容凹部の内面はねじ切りされており、雌ネジとして機能する。
【００３５】
固定部材１１７は、ネジ部１１７ａ及び頭部１１７ｂを有している。ネジ部１１７ａはねじ切りされており、雄ネジとして機能する。ネジ部１１７ａは、左保持部材１１１の固定部材挿入用孔１１１ｂ１、及び、右保持部材１１３の固定部材挿入用孔１１３ｂ１に挿入された後、背支持部材１１５の底面に形成される固定部材受容凹部に螺合する。これにより、左保持部材１１１、右保持部材１１３、背支持部材１１５を、一体とする。また、左保持部材１１１、右保持部材１１３は、固定部材１１７の中心回転軸Ｊ１１０を中心に、それぞれ、可動範囲Ｒ１１１、Ｒ１１３の間で回動する。さらに、固定部材１１７を螺合する際の力を強くすることによって、左保持部材１１１と右保持部材１１３との間の開き角度を固定することができる。これにより、開いた状態から閉じた状態へ向かう力が強い書籍であっても、開いた状態を維持することができる。
【００３６】
２．上下角調整部材１３０
上下角調整部材１３０について、図４を用いて説明する。図４は、書籍保持装置１００から保持部材１１０を取り除き、上下角調整部材１３０を示した斜視図である。なお、図７では、上下角調整部材１３０を構成する可動調整部材１３１と固定調整部材１３３とを分離して示している。可動調整部材１３１は、固定調整部材１３３の上の所定の位置に配置される。また、可動調整部材１３１は、固定調整部材１３３に対して、所定方向に回転可能となっている。
【００３７】
可動調整部材１３１は、円柱状体Ｓ１３１から、断面台形の角柱形状空間Ａ１３１ａ、及び、角柱形状空間Ａ１３１ａの断面台形の上底部から連続して形成される断面円弧形状の柱形状空間Ａ１３１ｂを取り除いた立体形状を有している。また、可動調整部材１３１は、角柱形状部Ｓ３を取り除くことによって形成される保持部材配置面Ｆ１３０に、保持部材１１０の固定部材受容凹部１３１ａを有している。固定部材受容凹部１３１ａには、保持部材１１０の固定部材１１７が配置される。これにより、保持部材１１０を可動調整部材１３１に固定する。
【００３８】
固定調整部材１３３は、断面台形の角柱形状体Ｓ１３３ら、可動調整部材１３１の円柱形状の外面に沿う凹状の可動調整部材配置空間Ａ１３３を取り除いた形状を有している。これにより、可動調整部材１３１を固定調整部材１３３上に配置することができる。
【００３９】
なお、可動調整部材配置空間Ａ１３３を形成する固定調整部材１３３の半球面Ｆ１３３、及び、対応する可動調整部材１３１の側面Ｆ１３１には、鋸歯状の凹凸が、規則的に形成されている。両凹凸の係合を調整し、固定調整部材１３３に対して可動調整部材１３１を矢印ａ１３１、ａ１３３方向に回転させることによって、固定調整部材１３３に対する可動調整部材１３１の上下方向の角度を調整することができる。これにより、書籍保持装置１００の使用者は、書籍Ｂの上下方向の角度を、自由に、容易に調整することができる。
第２  機能
【００４０】
書籍保持装置１００、特に保持部材１１０の機能ついて説明する。保持部材１１０に書籍を載置した状態を図５〜図７に示す。図５は、開いた状態で書籍を保持した状態の保持部材１１０の斜視図を示している。図６は、書籍を載置した状態の保持部材１１０の左側面図を示している。図７は、書籍を載置した状態の保持部材１１０の平面図を示している。なお、図７においては、書籍Ｂに関して、書籍Ｂの表紙ＢＦ、及び、開かれた状態の書籍Ｂの表面のページＢＰ、それぞれの底辺のみを示している。
【００４１】
図５に示すように、書籍Ｂは、保持部材１１０に対して、斜めに載置される。このように、書籍Ｂを斜めに配置することによって、書籍保持装置１００の使用者は、書籍Ｂを読みやすくなる。この場合、図６に示すように、書籍Ｂの背表紙ＢＳは、背表紙ＢＳの上端部が背支持部材１１５に当接する背支持位置Ｐ１１５で支持される。
【００４２】
また、図７に示すように、書籍Ｂの、向かって左側の表紙ＢＦＬ（図５も参照）は、底部が左保持部材１１１の水平腕部１１１ａと、具体的には、水平腕部１１１ａの内側の側部１１１ａ１に接する左書籍底部支持位置Ｐ１１１ａにおいて、支持される。同様に、書籍Ｂの、向かって右側の表紙ＢＦＲは、右書籍底部支持位置Ｐ１１３ａにおいて、支持される。左書籍底部支持位置Ｐ１１１ａ及び右書籍底部支持位置Ｐ１１３ａは、中心回転軸Ｊ１１０に対して、左右に開いて位置している。
【００４３】
図６に示すように、背支持位置Ｐ１１５は、左書籍底部支持位置Ｐ１１１ａよりの中心回転軸Ｊ１１０側に位置している。
【００４４】
また、図６に示すように、保持部材１１０は、左書籍底部支持位置Ｐ１１１ａよりも下側、かつ、中心軸Ｊ１００側に形成される書籍底部配置空間Ａ１１０を有している。書籍底部配置空間Ａ１１０には、保持部材１１０に斜めに配置された書籍Ｂの背表紙ＢＳ側の下部の一部が配置される。また、書籍Ｂは、左書籍底部支持位置Ｐ１１１ａ、右書籍底部支持位置Ｐ１１３ａ、及び、背支持位置Ｐ１１５の３点によって、保持部材１１０に対して斜めに、安定して載置される。
【００４５】
図７に示すように、書籍Ｂの表面の左側のページＢＰＬを、ページ保持部１１１ｃの左ページ当接位置Ｐ１１１ｃで当接させる。書籍Ｂの表面の右側のページＢＰＲについても同様に、右ページ当接位置Ｐ１１３ｃで当接させる。このように、書籍保持装置１００は、左書籍底部支持位置Ｐ１１１ａ及び左ページ当接位置Ｐ１１１ｃにおいて、書籍Ｂの左側を挟持し、同様に、右書籍底部支持位置Ｐ１１３ａ及び右ページ当接位置Ｐ１１３ｃにおいて、書籍Ｂの右側を挟持する。これによって、書籍保持装置１００は、書籍Ｂを開いた状態で支持できる。なお、保持部材１１０に対して、斜めに載置される。
【００４６】
また、左ページ当接位置Ｐ１１１ｃは、左書籍底部支持位置Ｐ１１１ａに対して、中心軸Ｊ１００側とは異なる側に位置する。右ページ当接位置Ｐ１１３ｃについても、同様である。
【００４７】
図７に示すように、書籍Ｂの左側のページ（左側の表紙ＢＦＬ、表面の左側のページＢＰＬを含む）を、左書籍底部支持位置Ｐ１１１ａと左ページ当接位置Ｐ１１１ｃとの間で保持することによって、書籍Ｂを開いた状態に保持する。書籍Ｂの右側のページについても同様である。
【００４８】
左保持部材１１１を回転させて、また、必要によっては、書籍Ｂの斜めの配置角度を調整し、左書籍底部支持位置Ｐ１１１ａ、左ページ当接位置Ｐ１１１ｃを調整することによって、書籍の厚さ、書籍の閉じる力に関わらず、書籍保持装置１００は、書籍を開いた状態に保持することができる。つまり、書籍保持装置１００は、書籍Ｂの厚さに合った適度な開き角度で、また、使用者の所望の角度、例えば手に書籍をとった際の自然な開き角度で、書籍Ｂを開いた状態に保持できる。書籍Ｂを適度な開き角度により開いた状態とすることによって、左右それぞれのページ押さえ部１１１ｃ１、１１３ｃ１と書籍の表面ページとの当たりが弱まり、滑らかにページをめくることができる。さらに、ページをめくる際に、表面の左側のページＢＰＬ、表面の右側のページＢＰＲ、それぞれに当接するページ保持部１１１ｃ、１１３ｃを移動させる必要がないため、容易にページをめくることができる。
【実施例２】
【００４９】
前述の実施例１に係る書籍保持装置１００では、ページ押さえ部１１１ｃ１、１１３ｃ１の配置位置が固定されていた。一方、本実施例に係る書籍保持装置２００は、ページ押さえ部材２１１ｃ１、２１３ｃ１の配置位置を移動させることができるものである。これにより、配置する書籍の厚さや大きさ、また、開きやすさにかかわらず、所望の開いた状態で書籍を保持することができる。以下において、書籍保持装置２００について説明する。
【００５０】
第１  構成
書籍保持装置２００の全体構成について、図８を用いて説明する。書籍保持装置２００は、保持部材２１０及び上下角調整部材２３０を有している。保持部材２１０は、書籍を見開き状態で保持するためのものである。上下角調整部材２３０は、保持部材２１０に載置した書籍の上下方向の角度を調整するものである。以下において、保持部材２１０、上下角調整部材２３０の構成ついて説明する。
【００５１】
１．保持部材２１０の構成
保持部材２１０の構成について、図９に示す斜視分解図を用いて説明する。図９に示すように、保持部材２１０は、左保持部材２１１、右保持部材２１３、背支持部材２１５、及び、固定部材２１７を有している。
【００５２】
左保持部材２１１、右保持部材２１３、及び、背支持部材２１５は、固定部材２１７を用いて一体的に組み立てられる。左保持部材２１１は、水平腕部２１１ａ、環状軸部２１１ｂ、及び、ページ保持部２１１ｃを有している。水平腕部２１１ａは、所定長さの角柱形状を有している。水平腕部２１１ａは、一端に、環状軸部２１１ｂを、異なる一端に、ページ保持部２１１ｃを、それぞれ有している。環状軸部２１１ｂは、中央に固定部材挿入用孔２１１ｂ１を有する環状構造を有している。
【００５３】
ページ保持部２１１ｃは、ページ押さえ部材２１１ｃ１及びページ押さえ配置孔２１１ｃ３を有している。ページ押さえ部材２１１ｃ１は、円筒形状を有している。ページ押さえ配置孔２１１ｃ３は、水平腕部２１１ａの上面に沿って、複数、直線上に配置されている。ページ押さえ部材２１１ｃ１は、ページ押さえ配置孔２１１ｃ３に挿入される。なお、ページ押さえ部材２１１ｃ１は、ページ押さえ配置孔２１１ｃ３に挿入された状態では、水平腕部２１１ａから上側に向かって突出する。ページ押さえ部材２１１ｃ１は、開かれた状態で保持部材１１０に載置された書籍の開かれたページに当接し、載置した書籍の開かれた状態を維持する。また、ページ押さえ部材２１１ｃ１の円筒形状の表面は滑らかな曲面によって形成されているため、ページめくりに伴う、ページの抜き差しを容易に行うことができる。ページ押さえ部材２１１ｃ１は、複数配置されたページ押さえ配置孔２１１ｃ３のうち、所望のものに挿入することによって、配置位置を変更することができる。これにより、配置する書籍の厚さや大きさ、また、開きやすさにかかわらず、所望の開いた状態で書籍を保持することができる。右保持部材２１３についても、同様である（図１０参照）。
【００５４】
背支持部材２１５は、一部切り欠きを有する断面半円の柱形状を有している。背支持部材２１５は、所定の高さの位置から上端に向かって、円弧とその両端を直線で結んだ円弧形状を断面として有する柱状の背配置空間Ａ２１５を有している。背配置空間Ａ２１５を形成することによって、書籍を傾斜して支持しやすくしている。背支持部材２１５は、底面から鉛直に内部に向かって所定長さに形成される固定部材受容凹部（図示せず）を有している。固定部材受容凹部の内面はねじ切りされており、雌ネジとして機能する。
【００５５】
固定部材２１７は、ネジ部２１７ａ及び頭部２１７ｂを有している。ネジ部２１７ａはねじ切りされており、雄ネジとして機能する。ネジ部２１７ａは、左保持部材２１１の固定部材挿入用孔２１１ｂ１、及び、右保持部材２１３の固定部材挿入用孔２１３ｂ１に挿入された後、背支持部材２１５の底面に形成される固定部材受容凹部に螺合する。これにより、左保持部材２１１、右保持部材２１３、背支持部材２１５を、一体とする。また、左保持部材２１１、右保持部材２１３は、固定部材２１７の中心回転軸Ｊ２１０を中心に、それぞれ、可動範囲Ｒ２１１、Ｒ２１３の間で回動する。
【００５６】
２．上下角調整部材２３０
上下角調整部材２３０について、図１０に示す書籍保持装置２００を用いて説明する。図１０は、図９に示す書籍保持装置２００を背支持部材２１５の裏側から見た状態を示している。
【００５７】
上下角調整部材２３０は、可動調整部材２３１、固定調整部材２３３、及び、角度固定部材２３５を有している。可動調整部材２３１は、背支持部材２１５の背面に固定される。可動調整部材２３１は、円筒状の回転軸部２３１ａ、及び、回転軸部２３１ａを背支持部材２１５に固定する角柱状の固定部２３１ｂを有している。固定部２３１ｂは、背支持部材２１５の背面に形成される固定部用挿入口（図示せず）に挿入され、可動調整部材２３１を背支持部材２１５に固定する。なお、回転軸部２３１ａと固定部２３１ｂとは、一体として形成される。
【００５８】
固定調整部材２３３は、扇型の平板形状を有する台部２３３ａ、及び、可動調整部材２３１の回転軸部２３１ａを受ける軸受け部２３３ｂを有している。台部２３３ａは、左保持部材２１１、右保持部材２１３の可動範囲を包含する。
【００５９】
軸受け部２３３ｂは、台部２３３ａの上に形成される。軸受け部２３３ｂの内部構造について、図１１に示す固定調整部材２３３の断面図を用いて説明する。図１１には、図８における平面Ｆでの固定調整部材２３３の断面を示している。軸受け部２３３ｂは、内部に、回転軸受容空間Ｓ２３３ｂ１、固定部可動空間Ｓ２３３ｂ３、及び、角度固定部材挿入用孔Ｓ２３３ｂ５を有している。回転軸受容空間Ｓ２３３ｂ１、固定部可動空間Ｓ２３３ｂ３、及び、固定部材挿入用孔Ｓ２３３ｂ５は、連続して形成され、一体的な空間を形成する。
【００６０】
図１２に図１１におけるＹ−Ｙ断面を示す。図１１及び図１２に示すように、回転軸受容空間Ｓ２３３ｂ１は、可動調整部材２３１の回転軸部２３１ａとほぼ同形状の円筒状空間によって形成される。回転軸受容空間Ｓ２３３ｂ１によって、可動調整部材２３１の回転軸部２３１ａを安定的に受容する。また、回転軸受容空間Ｓ２３３ｂ１を形成する軸受け部２３３ｂの内面は滑らかに形成されている。これにより、回転軸部２３１ａを、ひいては可動調整部材２３１、さらには可動調整部材２３１と一体として可動する保持部材２１０を、上下方向回転軸Ｊ２３１を中心に、滑らかに回転させることができる。
【００６１】
保持部材２１０が回転する際には、図１１に示すように、保持部材２１０と一体となって回転する固定部２３１ｂは、固定部可動空間Ｓ２３３ｂ３内を移動する。保持部材２１０の上下方向の可動範囲Ｒ２１０において、自由に可動する。なお、固定部２３１ｂの上面又は下面が、固定部可動空間Ｓ２３３ｂ３を形成する軸受け部２３３ｂの内面に当接することによって、保持部材２１０の上下方向の可動範囲Ｒ２１０が制限される。
【００６２】
図１０に戻って、角度固定部材２３５は、軸受け部２３３ｂの角度固定部材挿入用孔Ｓ２３３ｂ５に挿入される。なお、角度固定部材２３５の一部には、ねじ切りがされており、雄ネジとして機能する、また、角度固定部材挿入用孔Ｓ２３３ｂ５を形成する軸受け部２３３ｂの内面は、ねじ切りされており、雌ネジとして機能する。角度固定部材２３５を角度固定部材挿入用孔Ｓ２３３ｂ５に螺合し、固定部２３１ｂの回転軸部２３１ａを、軸受け部２３３ｂに圧着することによって、保持部材２１０の上下角調整部材２３０に対する上下位置を固定する。
【００６３】
第２  機能
書籍保持装置２００は、実施例１の書籍保持装置１００と同様に、背表紙ＢＳが背支持部材１１５に当接する背支持位置Ｐ１１５（図６参照）、書籍Ｂの左右の表紙ＢＦＬ、ＲＦＲ（図４も参照）の底部のそれぞれが接する左書籍底部支持位置Ｐ１１１ａ、右書籍底部支持位置Ｐ１１３ａ、及び、左書籍底部支持位置Ｐ１１１ａ、右書籍底部支持位置Ｐ１１３ａよりも下側、かつ、中心回転軸Ｊ２１０側に形成される書籍底部配置空間Ａ１１０（図５参照）を有している。なお、書籍保持装置２００の機能については、実施例１の書籍保持装置１００と同様であるため、詳細な記述を省略する。
【実施例３】
【００６４】
前述の実施例１に係る書籍保持装置２００では、１つの中心回転軸Ｊ２１０を中心に、左保持部材２１１及び右保持部材２１３を回動させていた。一方、本実施例に係る書籍保持装置３００は、左保持部材３１１、右保持部材３１３が、それぞれの中心回転軸Ｊ３１０ｌ、Ｊ３１０ｒを中心に回動させるものである。以下において、書籍保持装置３００について説明する。なお、実施例２と同様の構成については、同様の符号を付し、詳細な記述を省略する。
【００６５】
第１  構成
書籍保持装置３００の全体構成について、図１３を用いて説明する。書籍保持装置３００は、保持部材３１０及び上下角調整部材３３０を有している。保持部材３１０は、書籍を見開き状態で保持するためのものである。上下角調整部材３３０は、保持部材３１０に載置した書籍の上下方向の角度を調整するものである。以下において、保持部材３１０、上下角調整部材２３０の構成ついて説明する。
１．保持部材３１０の構成
保持部材３１０の構成について、図１４に示す斜視分解図を用いて説明する。図１４に示すように、保持部材３１０は、左保持部材３１１、右保持部材３１３、背支持部材３１５、及び、固定部材３１７を有している。
【００６６】
左保持部材３１１、右保持部材３１３、及び、背支持部材３１５は、固定部材３１７を介して一体的に組み立てられる。左保持部材３１１は、水平腕部３１１ａ、環状軸部３１１ｂ、及び、ページ保持部３１１ｃを有している。水平腕部３１１ａは、所定長さの角柱形状を有している。水平腕部３１１ａは、一端に、環状軸部３１１ｂを、異なる一端に、ページ保持部３１１ｃを、それぞれ有している。環状軸部３１１ｂは、固定部材挿入用孔３１１ｂ１を有している。
【００６７】
左保持部材３１１のページ保持部３１１ｃは、実施例２におけるページ保持部２１１ｃ（図９参照）と同様の構成であるため、詳細な記述を省略する。なお、右保持部材３１３についても、同様であるため、詳細な記述を省略する（図１０参照）。
【００６８】
背支持部材３１５は、断面四角形の柱形状を有している。なお、背支持部材３１５は、実施例１における背支持部材１１５とは異なり、背配置空間を有していない。
【００６９】
固定部材３１７は、回転軸部材３１７ａｌ、３１７ａｒ、及び、台部材３１７ｂを有している。回転軸部材３１７ａｌ、３７１ａｒは、それぞれ円筒形状を有している。台部材３１７ｂは、軸部材挿入用孔３１７ｂｌ、３１７ｂｒを有している。軸部材挿入用孔３１７ｂｌ、３１７ｂｒは、台部材３１７ｂの上面、左保持部材３１１、右保持部材３１３と接する面に開口が設けられるように形成される。回転軸部材３１７ａｌは、左保持部材３１１の固定部材挿入用孔３１１ｂ１に挿入された後、背支持部材１１５の底面に形成される固定部材受容凹部に螺合する。これにより、背支持部材３１５、左保持部材３１１、及び、台部材３１７ｂは、一体的に固定される。また、左保持部材１１１は、中心回転軸Ｊ３１０ｌを中心に、可動範囲Ｒ３１１ｌの間で回動する。右保持部材３１３についても、同様である。このように、書籍保持装置３００は、左保持部材３１１、右保持部材３１３が、それぞれの中心回転軸Ｊ３１０ｌ、Ｊ３１０ｒを中心に回動させるものである。
【００７０】
２．上下角調整部材３３０
上下角調整部材３３０は、可動調整部材２３１、固定調整部材３３３、及び、角度固定部材２３５を有している。可動調整部材２３１は、背支持部材３１５の背面に固定される。
【００７１】
固定調整部材３３３は、四角形の平板形状を有する台部３３３ａ、及び、可動調整部材２３１の回転軸部２３１ａを受ける軸受け部２３３ｂを有している。台部３３３ａは、実施例２における台部２３３ａとは異なり、左保持部材３１１、右保持部材３１３の可動範囲を包含するものではない。
【００７２】
上下角調整部材３３０のその他の構成については、実施例２における上下角調整部材２３０と同様であるので、詳細な記述を省略する。
【実施例４】
【００７３】
前述の実施例２における書籍保持装置２００では、ページ押さえ部材２１１ｃ１及びページ押さえ配置孔２１１ｃ３を用いて、ページ押さえ部材２１１ｃ１の配置位置を移動させることとした。一方、本実施例における書籍保持装置４００は、所定の溝に沿ってスライドさせることができるページ押さえ部材４１１ｃ１（後述）を有している。これにより、ページ押さえ部材４１１ｃ１の配置位置を簡単に移動できる。以下において、書籍保持装置４００について説明する。
【００７４】
第１  構成
書籍保持装置４００の全体構成について、図１７を用いて説明する。書籍保持装置４００は、書籍を見開き状態で保持するためのものである。書籍保持装置４００は、左保持部材４１１、右保持部材４１３、背支持部材４１５、及び、固定部材４１７を有している。
【００７５】
左保持部材４１１、及び、右保持部材４１３、固定部材４１７を用いて一体的に組み立てられる。背支持部材４１５は、固定部材４１７に、回転可能に取り付けられる。左保持部材４１１は、水平腕部４１１ａ、環状軸部４１１ｂ、ページ保持部４１１ｃ、及び、角度形成部４１１ｄを有している。水平腕部４１１ａは、所定長さの角柱形状を有している。環状軸部４１１ｂは環状構造を有している。水平腕部４１１ａは、一端に、環状軸部４１１ｂを、異なる一端に、ページ保持部４１１ｃを、それぞれ有している。
【００７６】
図１７の環状軸部４１１ｂ付近の垂直断面を図１８に示す。なお、図１８においては、各部材を分解して示している。左保持部材４１１の環状軸部４１１ｂは、中央に固定部材挿入用孔４１１ｂ１を有している。
【００７７】
図１７に戻って、ページ保持部４１１ｃは、ページ押さえ部材４１１ｃ１、ページ押さえ配置溝４１１ｃ３、押さえ固定部材４１１ｃ５（図示せず：後述）を有している。ページ押さえ部材４１１ｃ１は、底面の半径が異なる２つの円柱が重なって形成される段付円柱形状を有している。図１９に、ページ押さえ部材４１１ｃ１がページ押さえ配置溝４１１ｃ３の角度形成部材４１１ｄ側の端部に位置するときの、ページ押さえ配置溝４１１ｃ３に沿ったページ保持部４１１ｃの断面を示す。ページ押さえ部材４１１ｃ１は、底面から垂直上方に向かって形成される押さえ固定部材挿入孔Ｈ４１１ｃ１を有している。押さえ固定部材挿入孔Ｈ４１１ｃ１の内周面は、ねじ切りされている。ページ押さえ部材４１１ｃ１は、底面が水平腕部４１１ａの上面に沿うように配置される。
【００７８】
図１７に戻って、ページ押さえ配置溝４１１ｃ３は、水平腕部２１１ａの環状軸部４１１ｂが配置されている端部側とは異なる端部側に形成される。図２０に、ページ押さえ配置溝４１１ｃ３に垂直なページ押さえ部材４１１ｃ１の断面を示す図である。垂直断面を示す。図２０に示すように、ページ押さえ配置溝４１１ｃ３は、水平腕部２１１ａに対して貫通孔として形成される。ページ押さえ配置溝４１１ｃ３は、水平方向の長さが異なる２つの溝、上側溝Ｕ４１１ｃ３及び下側溝Ｂ４１１ｃ３を有している。上側溝Ｕ４１１ｃ３は、水平腕部材４１１ａの上面に開口し、下側溝Ｂ４１１ｃ３は、水平腕部材４１１ａの下面に開口する。
【００７９】
図２０に示すように、押さえ固定部材４１１ｃ５は、ページ押さえ配置溝４１１ｃ３の下側溝Ｂ４１１ｃ３に配置される。ページ押さえ固定部材４１１ｃ５は、下側溝Ｄ４１１ｃ３に配置される頭部Ｔ４１１ｃ５、及び、上側溝Ｕ４１１ｃ３に配置される軸部Ｊ４１１ｃ５を有している。ページ押さえ固定部材４１１ｃ５の軸部Ｊ４１１ｃ５の外周面は、ねじ切りされている。ページ押さえ固定部材４１１ｃ５の軸部Ｊ４１１ｃ５の一端を、ページ押さえ部材４１１ｃ１の固定部材挿入孔Ｈ４１１ｃ１に螺合させることによって、ページ押さえ固定部材４１１ｃ５の頭部Ｔ４１１ｃ５と、ページ押さえ部材４１１ｃ１とによって、水平腕部４１１ａを押圧することによって、ページ押さえ部材４１１ｃ１を固定する。また、ページ押さえ部材４１１ｃ１を水平部４１１ａに対して移動させることによって、所望の位置に、ページ押さえ部材４１１ｃ１を簡単に固定することができる。
【００８０】
ページ押さえ部材４１１ｃ１は、開かれた状態で書籍保持装置４００に載置された書籍の開かれたページに当接し、載置した書籍の開かれた状態を維持する。また、ページ押さえ部材４１１ｃ１の円筒形状の表面は滑らかな曲面によって形成されているため、ページめくりに伴う、ページの抜き差しを容易に行うことができる。ページ押さえ部材４１１ｃ１は、所望の位置に配置位置を変更することができる。これにより、配置する書籍の厚さや大きさ、また、開きやすさにかかわらず、所望の開いた状態で書籍を保持するように、簡単に調整することができる。右保持部材４１３についても、同様である（図１７参照）。
【００８１】
角度調整部材４１１ｄは、水平腕部２１１ａの環状軸部４１１ｂが配置されている端部側とは異なる端部に、ページ押さえ部材４１１ｃ１とは反対側に配置される。角度調整部材４１１ｄは、固定部材４１７の下側固定部材４１７ｂよりも高い高さを有している。これにより、水平腕部２１１ａを、角度調整部材４１１ｄが配置されている端部から、軸部４１１ｂが配置されている端部に向かって下向きに傾斜するように配置できる。
【００８２】
図１７に示すように、背支持部材４１５は、背支持部材本体４１５ａ及び背固定部材４１５ｂを有している。背支持部材本体４１５ａは、内部に空間を有する断面半円環の柱形状を有している。背支持部材本体４１５ａは、断面半円環の内部空間として形成される柱状の背配置空間Ａ４１５を有している。背配置空間Ａ４１５を形成することによって、書籍を傾斜して支持しやすくしている。背支持部材本体４１５ａは、背固定部材４１５ｂによって、固定部材４１７の上側固定部材４１７ｃ（後述）に回転可能に取り付けられる。背固定部材４１５ｂは、書籍保持装置４００の中心面に対して垂直に、左右２つ配置される。２つの背固定部材４１５ｂによって、背支持部材本体４１５ａの回転軸が形成される。背支持部材本体４１５ａを、左保持部材４１１及び右保持部材４１３が位置する方向側に回転可能とし、所定の角度まで回転させることによって、背支持部材本体４１５ａの先端部において、書籍の背部を支持することができる。このとき、背支持部材本体４１５ａを回転させる角度を調整することによって、支持する書籍の角度を調整することができる。まで回転させる書籍保持装置４００をコンパクトに収納できる。背支持部材本体４１５ａを所定の角度まで回転させた状態の書籍保持装置４００を図２１に示す。また、背支持部材本体４１５ａを所定の角度まで回転させた状態の書籍保持装置４００に書籍を支持させた状態を図２１ａに示す。
【００８３】
図１７に示すように、固定部材４１７は、軸部４１７ａ（図示せず：図１８参照）、下側固定部材４１７ｂ、及び、上側固定部材４１７ｃを有している。図１８に示すように、軸部４１７ａは、下側固定部材４１７ｂに固定された後、左保持部材４１１の固定部材挿入用孔４１１ｂ１、及び、右保持部材４１３の固定部材挿入用孔４１３ｂ１に挿入され、上側固定部材４７１ｃに固定される。これにより、左保持部材４１１、右保持部材４１３を回転可能に固定部材４１７の上側固定部材４１７ｃに固定する。なお、図１７に示すように、左保持部材４１１、右保持部材２１３は、固定部材４１７の中心回転軸Ｊ４１０を中心に、それぞれ、可動範囲Ｒ４１１、Ｒ４１３の間で回動する。左保持部材４１１、右保持部材４１３を閉じることによって、書籍保持装置４００をコンパクトに収納できる。さらに、背支持部材本体４１５ａを左保持部材４１１及び右保持部材４１３が位置する方向側に回転させ、折りたたんだ状態とすることによって、さらに書籍保持装置４００をコンパクトに収納できる。左保持部材４１１、右保持部材４１３を閉じ、また、背支持部材本体４１５ａを折りたたんだ状態の書籍保持装置４００を図２２に示す。
【００８４】
左保持部材４１１、右保持部材４１３を閉じた状態の書籍保持装置４００の左族面図、右側面図、正面図、背面図、平面図、底面図を、それぞれ、図２３、図２４、図２５、図２６、図２７、図２８に示す。また、左保持部材４１１、右保持部材４１３を開いた状態の書籍保持装置４００の左族面図、右側面図、正面図、背面図、平面図、底面図を、それぞれ、図２９、図３０、図３１、図３２、図３３、図３４に示す。
【００８５】
第２  機能
書籍保持装置４００は、実施例１の書籍保持装置１００と同様に、背表紙ＢＳが背支持部材４１５に当接する背支持位置Ｐ１１５（図６参照）、書籍Ｂの左右の表紙ＢＦＬ、ＲＦＲ（図４も参照）の底部のそれぞれが接する左書籍底部支持位置Ｐ１１１ａ、右書籍底部支持位置Ｐ１１３ａ、及び、左書籍底部支持位置Ｐ１１１ａ、右書籍底部支持位置Ｐ１１３ａよりも下側、かつ、中心回転軸Ｊ２１０側に形成される書籍底部配置空間Ａ１１０（図５参照）を有している。なお、書籍保持装置４００の機能については、実施例１の書籍保持装置１００と同様であるため、詳細な記述を省略する。
【００８６】
［その他の実施例］
（１）背支持位置の位置：前述の実施例１における書籍保持装置１００では、背支持部材１１５は、書籍Ｂの背表紙ＢＳは、背表紙ＢＳの上端部が背支持部材１１５に当接する背支持位置Ｐ１１５で支持されるとしたが、書籍Ｂの背表紙ＢＳを支持する位置であれば、例示のものに限定されない。例えば、背支持部材１１５の長さを半分程度にし、背支持部の上端を背支持位置として、背表紙ＢＳの途中を支持するようにしてもよい。実施例２における書籍保持装置２００、実施例３における書籍保持装置３００についても、同様である。実施例４における書籍保持装置４００についても、同様である。
【００８７】
（２）水平腕部１１１ａ、１１３ａの形状：前述の実施例１においては、左保持部材１１１の水平腕部１１１ａ、及び、右保持部材１１３の水平腕部１１３ａは、所定長さの角柱形状を有するとしたが、書籍Ｂの底部を支持することができる形状であれば、例示のものに限定されない。例えば、多角柱形状、楕円形状、所定の曲面形状であってもよい。その他の実施例についても、同様である。
【００８８】
（３）中心回転軸Ｊ１１０：前述の実施例１における書籍保持装置１００では、左保持部材１１１、及び、右保持部材１１３は、一つ中心回転軸Ｊ１１０を中心に、それぞれ、可動範囲Ｒ１１１、Ｒ１１３の間で回動するとしたが、実施例３の書籍保持装置３００と同様に、左保持部材１１１、右保持部材１１３、それぞれが、一つの回転軸を中心に回動するようにしてもよい。実施例における書籍保持装置２００についても同様である。実施例４における書籍保持装置４００についても、同様である。
【００８９】
また、実施例３における書籍保持装置３００において、実施例１の書籍保持装置１００と同様に、左保持部材３１１、及び、右保持部材３１３が、一つの回転軸を中心に回動するようにしてもよい。
【００９０】
（４）ページ押さえ部の構造：前述の実施例１における書籍保持装置１００では、左保持部材１１１、右保持部材１１３のそれぞれに、固定されたページ押さえ部１１１ｃ１、１１３ｃ１が配置されるとしたが、実施例２における書籍保持装置２００と同様に、移動可能なページ押さえ部を形成するようにしてもよい。
【００９１】
また、前述の実施例２における書籍保持装置２００では、左保持部材２１１、右保持部材２１３のそれぞれに、移動可能なページ押さえ部材２１１ｃ１、２１３ｃ１が配置されるとしたが、実施例１における書籍保持装置１００と同様に、固定されたページ押さえ部を形成するようにしてもよい。実施例３における書籍保持装置３００についても同様である。
【００９２】
さらに、前述の実施例２における書籍保持装置２００では、ページ押さえ部材２１１ｃ１及びページ押さえ配置孔２１１ｃ３を用いて、ページ押さえ部材２１１ｃ１の配置位置を移動させることとしたが、ページ押さえ部材２１１ｃ１の配置位置を移動できる構造であれば、例示のものに限定されない。例えば、ページ押さえ部材２１１ｃ１を所定の溝に沿ってスライドさせるようにしてもよい。実施例３における書籍保持装置３００についても同様である。
【００９３】
（５）上下角の固定方法：前述の実施例２における書籍保持装置２００では、角度固定部材２３５を角度固定部材挿入用孔Ｓ２３３ｂ５に螺合し、固定部２３１ｂの回転軸部２３１ａを、軸受け部２３３ｂに圧着することによって、保持部材２１０の上下角調整部材２３０に対する上下位置を固定するとしたが、さらに、回転軸部２３１ａ及び軸受け部２３３ｂに所定の凹凸を形成し、両者を係合させるようにしてもよい。実施例３における書籍保持装置３００についても同様である。
【００９４】
実施例４の書籍保持装置４００に対して、その他の実施例と同様に、上下角を調整できるようにしてもよい。
【００９５】
（６）背支持部材４１５の回転：前述の実施例４における書籍保持装置４００では、背支持部材４１５が回転し、書籍保持装置４００をコンパクトに収納できるとしたが、背支持部材４１５を回転せずに，固定して形成するようにしてもよい。一方、その他の実施例において背支持部材を回転するようにしてもよい。
【産業上の利用可能性】
【００９６】
本発明は、書籍を開いた状態で保持するブックスタンドとして利用することができる。
【符号の説明】
【００９７】
１００  書籍保持装置
１１０  保持部材
１１１  左保持部材
１１１ａ  水平腕部
１１１ａ１  側部
１１１ｂ  環状軸部
１１１ｂ１  固定部材挿入用孔
１１１ｃ  ページ保持部
１１１ｃ１  ページ押さえ部
１１３  右保持部材
１１３ａ  水平腕部
１１３ｂ１  固定部材挿入用孔
１１５  背支持部材
１１７  固定部材
１１７ａ  ネジ部
１１７ｂ  頭部
１３０  上下角調整部材
１３１  可動調整部材
１３１ａ  固定部材受容凹部
１３３  固定調整部材
２００  書籍保持装置
２１０  保持部材
２１１  左保持部材
２１１ａ  水平腕部
２１１ｂ  環状軸部
２１１ｂ１  固定部材挿入用孔
２１１ｃ  ページ保持部
２１１ｃ１  ページ押さえ部材
２１１ｃ３  配置孔
２１３  右保持部材
２１３ｂ１  固定部材挿入用孔
２１５  背支持部材
２１７  固定部材
２１７ａ  ネジ部
２１７ｂ  頭部
２３０  上下角調整部材
２３１  可動調整部材
２３１ａ  回転軸部
２３１ｂ  固定部
２３３  固定調整部材
２３３ａ  台部
２３３ｂ  軸受け部
２３５  角度固定部材
３００  書籍保持装置
３１０  保持部材
３１１  左保持部材
３１１ａ  水平腕部
３１１ｂ  環状軸部
３１１ｂ１  固定部材挿入用孔
３１１ｃ  ページ保持部
３１３  右保持部材
３１５  背支持部材
３１７  固定部材
３１７ａｌ  回転軸部材
３１７ｂ  台部材
３１７ｂｌ  軸部材挿入用孔
３３０  上下角調整部材
３３３  固定調整部材
３３３ａ  台部
４００  書籍保持装置
４１１  左保持部材
４１１ａ  水平腕部
４１１ｂ  環状軸部
４１１ｂ１  固定部材挿入用孔
４１１ｃ  ページ保持部
４１１ｃ１  ページ押さえ部材
４１１ｃ３  ページ押さえ配置溝
Ｕ４１１ｃ３  上側溝
Ｂ４１１ｃ３  下側溝
４１１ｃ５  押さえ固定部材
Ｔ４１１ｃ５  頭部
Ｊ４１１ｃ５  軸部
４１１ｄ  角度調整部
４１３  右保持部材
４１５  背支持部材
４１５ａ  背支持部材本体
４１５ｂ  背固定部材
４１７  固定部材
４１７ａ  軸部
４１７ｂ  上側固定部材
４１７ｃ  下側固定部材
Ｊ１１０      中心回転軸
Ａ１１０      書籍底部配置空間
Ａ１１５      背配置空間
Ａ１３３      可動調整部材配置空間
Ｐ１１１ａ    左書籍底部支持位置
Ｐ１１１ｃ    左ページ当接位置
Ｐ１１３ａ    右書籍底部支持位置
Ｐ１１３ｃ    右ページ当接位置
Ｐ１１５      背支持位置
Ｊ２１０      中心回転軸
Ａ２１５      背配置空間
Ｓ２３３ｂ１  回転軸受容空間
Ｓ２３３ｂ３  固定部可動空間
Ｓ２３３ｂ５  角度固定部材挿入用孔
Ｓ２３３ｂ５  固定部材挿入用孔
Ｊ２３１      上下方向回転軸
Ｊ３１０ｌ    中心回転軸
Ｊ３１０ｒ    中心回転軸
Ｊ４１０      中心回転軸
Ａ４１５      背配置空間
【図１】
0006457351.tif 000002
【図２】
0006457351.tif 000003
【図３】
0006457351.tif 000004
【図４】
0006457351.tif 000005
【図５】
0006457351.tif 000006
【図６】
0006457351.tif 000007
【図７】
0006457351.tif 000008
【図８】
0006457351.tif 000009
【図９】
0006457351.tif 000010
【図１０】
0006457351.tif 000011
【図１１】
0006457351.tif 000012
【図１２】
0006457351.tif 000013
【図１３】
0006457351.tif 000014
【図１４】
0006457351.tif 000015
【図１５】
0006457351.tif 000016
【図１６】
0006457351.tif 000017
【図１７】
0006457351.tif 000018
【図１８】
0006457351.tif 000019
【図１９】
0006457351.tif 000020
【図２０】
0006457351.tif 000021
【図２１】
0006457351.tif 000022
【図２１ａ】
0006457351.tif 000023
【図２２】
0006457351.tif 000024
【図２３】
0006457351.tif 000025
【図２４】
0006457351.tif 000026
【図２５】
0006457351.tif 000027
【図２６】
0006457351.tif 000028
【図２７】
0006457351.tif 000029
【図２８】
0006457351.tif 000030
【図２９】
0006457351.tif 000031
【図３０】
0006457351.tif 000032
【図３１】
0006457351.tif 000033
【図３２】
0006457351.tif 000034
【図３３】
0006457351.tif 000035
【図３４】
0006457351.tif 000036